(57)【要約】【課題】  車両を駐車させる際に車両に給電するのに適した駐車装置用のパレットを提供する。【解決手段】  従来のパレットに変わって、上から見て略長方形の形状を持つパレット主構造体と、前記充電ケーブルに電気的に接合できる端子を有する車両側中継端子と、前記パレット主構造体の左右１対の長辺のうちの一つの長辺である特定長辺に沿う上面に設けられ前記車両側中継端子を支持できる構造体である端子支持構造体と、前記パレット主構造体の前記特定長辺に沿う上面に前記端子支持構造体に支持される車両側中継端子と前後方向に並ぶ様に設けられ上方に凸の輪郭を形成する部材であるガイド部材と、電力を前記車両側中継端子へ中継する中継機器と、を備えるものとした。【選択図】    図１
2014070472.tif 000002
【特許請求の範囲】
【請求項１】
複数の駐車空間と電源装置とを持つ駐車装置において車両を搭載するために使用され充電ケーブルで電力を給電される車両を搭載可能であるパレットであって、
上から見て略長方形の形状を持つ構造体であり前記略長方形の左右１対の長辺に挟まれて車両の左右のタイヤを前後方向に転動させる左右１対の走行面を設けられるパレット主構造体と、
前記充電ケーブルに電気的に接合できる端子を有する車両側中継端子と、
前記パレット主構造体の左右１対の長辺のうちの一つの長辺である特定長辺に沿う上面に設けられ前記車両側中継端子を支持できる構造体である端子支持構造体と、
前記パレット主構造体の前記特定長辺に沿う上面に前記端子支持構造体に支持される前記車両側中継端子と前後方向に並ぶ様に設けられ上方に凸の輪郭を形成する部材であるガイド部材と、
電力を前記車両側中継端子へ中継する中継機器と、
を備えることを特徴とするパレット。
【請求項２】
前記ガイド部材が前記パレット主構造体の前記特定長辺に沿う上面に設けられ起立する軸であるガイド軸部材と該ガイド軸部材に軸心を一致させて回転自在に支持される円筒状のガイド輪部材とを有する、
ことを特徴とする請求項１に記載のパレット。
【請求項３】
前記特定長辺から前記ガイド部材の前記特定長辺から最も離れた箇所までの水平距離が前記特定長辺から前記車両側中継端子の前記特定長辺から最も離れた箇所までの水平距離より大きい、
ことを特徴とする請求項２に記載のパレット。
【請求項４】
前記端子支持構造体が前記充電ケーブルの一部であるコントロールボックスを置ける空間である特定空間を設けられる、
ことを特徴とする請求項３に記載のパレット。
【請求項５】
前記端子支持構造体が前記特定空間と前記特定長辺との間に設けられ起立する部材である起立部材を有する、
ことを特徴とする請求項４に記載のパレット。
【請求項６】
前記特定空間が空のときに前記車両側中継端子を前記特定空間に置ける、
ことを特徴とする請求項５に記載のパレット。
【請求項７】
前記特定長辺から前記ガイド部材の前記特定長辺から最も離れた箇所までの水平距離が前記特定長辺から前記特定空間に置かれるコントロールボックスの前記特定長辺から最も離れた箇所までの水平距離より大きい、
ことを特徴とする請求項６に記載のパレット。
【請求項８】
前記特定空間が空のときに、前記端子支持構造体が前記車両側中継端子の姿勢を前記特定空間に置く姿勢である待機姿勢と前記特定空間から出て充電ケーブルの充電端子を接続される面を下向きにする姿勢である充電姿勢との間で変化させることをできる、
ことを特徴とする請求項７に記載のパレット。
【請求項９】
前記パレット主構造体の上面に前記走行面より所定の高さをもち前記長辺に沿って延びる様に配される長尺部材であるはみ出し防止部材、
を備えることを特徴とする請求項８に記載のパレット。
【請求項１０】
１対の前記ガイド部材、
を備え、
１対の前記ガイド部材が前後方向に並んで前記特定空間を挟む様に前記パレット主構造体の前記特定長辺に沿う上面に位置する、
ことを特徴とする請求項９に記載のパレット。
【請求項１１】
左右１対の前記車両側中継端子と、
左右１対の前記端子支持構造体と、
備え、
左右１対の前記車両側中継端子と左右１対の前記端子支持構造体とが前記パレット主構造体を上から見て略中心を境として点対称になる様に前記パレット主構造体の左右１対の前記長辺の各々の長辺に沿う上面に各々に配置される、
ことを特徴とする請求項１０に記載のパレット。
【請求項１２】
前記特定長辺から前記ガイド部材の前記特定長辺から最も離れた箇所までの水平距離が前記特定長辺から前記車両側中継端子の前記特定長辺から最も離れた箇所までの水平距離より大きい、
ことを特徴とする請求項１に記載のパレット。
【請求項１３】
前記端子支持構造体が前記充電ケーブルの一部であるコントロールボックスを置ける空間である特定空間を設けられる、
ことを特徴とする請求項１に記載のパレット。
【請求項１４】
前記端子支持構造体が前記充電ケーブルの一部であるコントロールボックスを置ける空間である特定空間を設けられ、
前記端子支持構造体が前記特定空間と前記特定長辺との間に設けられ起立する部材である起立部材を有する、
ことを特徴とする請求項１に記載のパレット。
【請求項１５】
前記端子支持構造体が前記充電ケーブルの一部であるコントロールボックスを置ける空間である特定空間を設けられ、
前記特定空間が空のときに前記車両側中継端子を前記特定空間に置ける、
ことを特徴とする請求項１に記載のパレット。
【請求項１６】
前記端子支持構造体が前記充電ケーブルの一部であるコントロールボックスを置ける空間である特定空間を設けられ、
前記特定長辺から前記ガイド部材の前記特定長辺から最も離れた箇所までの水平距離が前記特定長辺から前記特定空間に置かれたコントロールボックスの前記特定長辺から最も離れた箇所までの水平距離より大きい、
ことを特徴とする請求項１に記載のパレット。
【請求項１７】
前記端子支持構造体が前記充電ケーブルの一部であるコントロールボックスを置ける空間である特定空間を設けられ、
前記特定空間が空のときに、前記端子支持構造体が前記車両側中継端子の姿勢を前記特定空間に置く姿勢である待機姿勢と前記特定空間から出て充電ケーブルの充電端子を接続される面を下向きにする姿勢である充電姿勢との間で変化させることをできる、
ことを特徴とする請求項１に記載のパレット。
【請求項１８】
前記パレット主構造体の上面に前記走行面より所定の高さをもち前記長辺に沿って延びる様に配される長尺部材であるケーブルはみ出し防止部材、
を備えることを特徴とする請求項１に記載のパレット。
【請求項１９】
１対の前記ガイド部材、
を備え、
前記端子支持構造体が前記充電ケーブルの一部であるコントロールボックスを置ける空間である特定空間を設けられ、
１対の前記ガイド部材が前後方向に並んで前記特定空間を挟む様に前記パレット主構造体の前記特定長辺に沿う上面に位置する、
ことを特徴とする請求項１に記載のパレット。
【請求項２０】
左右１対の前記車両側中継端子と、
左右１対の前記端子支持構造体と、
備え、
左右１対の前記車両側中継端子と左右１対の前記端子支持構造体とが前記パレット主構造体を上から見て略中心を境として点対称になる様に前記パレット主構造体の左右１対の前記長辺の各々の長辺に沿う上面に各々に配置される、
ことを特徴とする請求項１０に記載のパレット。
【発明の詳細な説明】
【技術分野】
【０００１】
本発明は、充電ケーブルで給電される車両を駐車させる駐車装置用パレットに係る。特に、充電ケーブルで充電される電気自動車を含む車両を駐車させる駐車装置用パレットに関する。
【背景技術】
【０００２】
複数の車両を駐車させるのに駐車機構を備える駐車装置を用いることがある。
駐車機構は、車両を入出庫空間と駐車空間との間で移動させて駐車させる。
例えば、駐車機構は、メリーゴーランド方式駐車機構、エレベータ方式駐車機構、エレベータ・スライド方式駐車機構、平面往復方式駐車機構、運搬格納方式駐車機構、二段方式・多段方式駐車機構がある。
例えば、メリーゴーランド方式駐車機構では、上下一対のスプロケットに主務チェーンが巻きかけられ、複数のケージが主務チェーンに所定の間隔でつり下げられ、ケージがパレットを支持する。スプロケットを回転させると、複数のケージが循環移動する。
例えば、エレベータ方式駐車機構では、垂直になった昇降路に沿って上下方向に多段の駐車空間を配し、車両を載せたケージを昇降路の中に昇降させて、車両をケージから駐車空間に移載し、駐車させる。電動機は、ケージを吊るケーブルを巻上げ、巻き下げする。さらに、他の電動機が、車両をケージと駐車空間との間で移動させる。
例えば、エレベータ・スライド方式駐車機構では、駐車空間を垂直方向と水平方向に多段に配列し、車両を搬送台車に乗せて入出庫空間と駐車空間の横との間で搬送し、車両を搬送台車と駐車空間との間で移載する。電動機が、搬送台車を移動させる。他の電動機が、車両を搬送台車と駐車空間との間で移動させる。
例えば、平面往復方式駐車機構では、駐車空間を水平に配列し、搬送台車が車両を入出庫空間と駐車空間の横との間で搬送し、車両を搬送台車と駐車空間との間で移載する。電動機が、搬送台車を移動させる。他の電動機が、車両を搬送台車と駐車空間との間で移動させる。
【０００３】
一方、車両の電動化が加速している。これらの車両を電動車両と総称する。
電動車両には、ハイブリッド自動車、プラグインハイブリッド自動車、電気自動車、電動バイク、等がある。
電動車両は、交流電気を給電されるタイプと直流電気を給電されるタイプがある。
そこで、駐車している間に、電動車両に給電することが考えられる。
電動車両には、外部から給電して車載バッテリーを充電するタイプのものがある。
それらの電動車両は、給電のための給電プラグ受を持つ。
急速充電器の給電プラグや１００／２００Ｖ等の電源コンセントに充電ケーブルを接続し充電ケーブルの給電プラグを電動車両の給電プラグ受に接続することで充電を行う。
【０００４】
車両をパレットに載せて車両を取り扱う形式の駐車機構を採用する駐車装置では、パレットに車両側中継端子を設け、パレットに乗せた車両の給電プラグ受と車両側中継端子とを充電ケーブルで電気的に接続して、駐車時間中に車両を充電することが考えられる。
【発明の概要】
【発明が解決しようとする課題】
【０００５】
本発明は以上に述べた問題点に鑑み案出されたもので、車両を駐車させる際に車両に給電するのに適した駐車装置用のパレットを提供する。
【課題を解決するための手段】
【０００６】
上記目的を達成するため、本発明に係る複数の駐車空間と電源装置とを持つ駐車装置において車両を搭載するために使用され充電ケーブルで電力を給電される車両を搭載可能であるパレットであって、上から見て略長方形の形状を持つ板構造体であり前記略長方形の左右１対の長辺に挟まれて車両の左右のタイヤを前後方向に転動させる左右１対の走行面を設けられるパレット主構造体と、前記充電ケーブルに電気的に接合できる端子を有する車両側中継端子と、前記パレット主構造体の左右１対の長辺のうちの一つの長辺である特定長辺に沿う上面に設けられ前記車両側中継端子を支持できる構造体である端子支持構造体と、前記パレット主構造体の前記特定長辺に沿う上面に前記端子支持構造体に支持される車両側中継端子と前後方向に並ぶ様に設けられ上方に凸の輪郭を形成する部材であるガイド部材と、電力を前記車両側中継端子へ中継する中継機器と、を備えるものとした。
【０００７】
上記本発明の構成により、パレットは、複数の駐車空間と電源装置とを持つ駐車装置において車両を搭載するために使用され充電ケーブルで電力を給電される車両を搭載可能である。パレット主構造体は、上から見て略長方形の形状を持つ板構造体であり前記略長方形の左右１対の長辺に挟まれて車両の左右のタイヤを前後方向に転動させる左右１対の走行面を設けられる。車両側中継端子は、前記充電ケーブルに電気的に接合できる端子を有する。端子支持構造体は、前記パレット主構造体の左右１対の長辺のうちの一つの長辺である特定長辺に沿う上面に設けられ前記車両側中継端子を支持できる構造体である。ガイド部材は、前記パレット主構造体の前記特定長辺に沿う上面に前記端子支持構造体に支持される前記車両側中継端子と前後方向に並ぶ様に設けられ上方に凸の輪郭を形成する部材である。中継機器は、電力を前記車両側中継端子へ中継する。
その結果、車両が左右１対の走行面を走行してパレットに乗り降りさせる際に、前記ガイド部材がタイヤを案内しタイヤが前記端子支持構造体に干渉するのを抑制でき、電力を中継機器と前記車両側中継端子と充電ケーブルを経由して前記走行面に乗った車両に給電できる。
【０００８】
以下に、本発明の実施形態に係るパレットを説明する。本発明は、以下に記載した実施形態のいずれか、またはそれらの中の二つ以上が組み合わされた態様を含む。
【０００９】
本発明の実施形態に係るパレットは、前記ガイド部材が前記パレット主構造体の前記特定長辺に沿う上面に設けられ起立する軸であるガイド軸部材と該ガイド軸部材に軸心を一致させて回転自在に支持される円筒状のガイド輪部材とを有する。
上記の実施形態の構成により、前記ガイド部材の前記ガイド軸部材は、前記ガイド部材が前記パレット主構造体の前記特定長辺に沿う上面に設けられ起立する軸である。前記ガイド部材の前記ガイド輪部材は、該ガイド軸部材に軸心を一致させて回転自在に支持される円筒状のものである。
その結果、車両が左右１対の走行面を走行してパレットに乗り降りさせる際に、回転する前記ガイド輪部材がタイヤを案内しタイヤが前記端子支持構造体に干渉するのを抑制でき、電力を中継機器と前記車両側中継端子と充電ケーブルを経由して前記走行面に乗った車両に給電できる。
【００１０】
本発明の実施形態に係るパレットは、前記特定長辺から前記ガイド部材の前記特定長辺から最も離れた箇所までの水平距離が前記特定長辺から前記車両側中継端子の前記特定長辺から最も離れた箇所までの水平距離より大きい。
上記の実施形態の構成により、前記特定長辺から前記ガイド部材の前記特定長辺から最も離れた箇所までの水平距離が、前記特定長辺から前記車両側中継端子の前記特定長辺から最も離れた箇所までの水平距離より大きい。
その結果、車両が左右１対の走行面を走行してパレットに乗り降りさせる際に、回転する前記ガイド輪部材がタイヤを案内しタイヤが前記端子支持構造体に干渉するのを効果的に抑制できる。
【００１１】
本発明の実施形態に係るパレットは、前記端子支持構造体が前記充電ケーブルの一部であるコントロールボックスを置ける空間である特定空間を設けられる。
上記の実施形態の構成により、前記端子支持構造体が前記充電ケーブルの一部であるコントロールボックスを置ける空間である特定空間を設けられる。
その結果、コントロールボックスを前記端子支持構造体に安定して置くことをできる。
【００１２】
本発明の実施形態に係るパレットは、前記端子支持構造体が前記充電ケーブルの一部であるコントロールボックスを置ける空間である特定空間を設けられ、前記端子支持構造体が前記特定空間と前記特定長辺との間に設けられ起立する部材である起立部材を有する。
上記の実施形態の構成により、前記端子支持構造体が前記充電ケーブルの一部であるコントロールボックスを置ける空間である特定空間を設けられる。前記端子支持構造体の起立部材は、前記特定空間と前記特定長辺との間に設けられ起立する部材である。
その結果、前記特定空間に置いたコントロールボックスが前記特定長辺からはみ出るのを抑制できる。
【００１３】
本発明の実施形態に係るパレットは、前記端子支持構造体が前記充電ケーブルの一部であるコントロールボックスを置ける空間である特定空間を設けられ、
前記特定空間が空のときに前記車両側中継端子を前記特定空間に置ける。
上記の実施形態の構成により、前記端子支持構造体が前記充電ケーブルの一部であるコントロールボックスを置ける空間である特定空間を設けられる。前記特定空間が空のときに前記車両側中継端子を前記特定空間に置ける。
その結果、タイヤが前記端子支持構造体に干渉するのを効果的に抑制できる。
【００１４】
本発明の実施形態に係るパレットは、前記端子支持構造体が前記充電ケーブルの一部であるコントロールボックスを置ける空間である特定空間を設けられ、前記特定長辺から前記ガイド部材の前記特定長辺から最も離れた箇所までの水平距離が前記特定長辺から前記特定空間に置かれるコントロールボックスの前記特定長辺から最も離れた箇所までの水平距離より大きい。
上記の実施形態の構成により、前記端子支持構造体が前記充電ケーブルの一部であるコントロールボックスを置ける空間である特定空間を設けられる。前記特定長辺から前記ガイド部材の前記特定長辺から最も離れた箇所までの水平距離が前記特定長辺から前記特定空間に置かれるコントロールボックスの前記特定長辺から最も離れた箇所までの水平距離より大きい。
その結果、車両が左右１対の走行面を走行してパレットに乗り降りさせる際に、回転する前記ガイド輪部材がタイヤを案内しタイヤが前記特定空間に置くコントロールボックスに干渉するのを効果的に抑制できる。
【００１５】
本発明の実施形態に係るパレットは、前記端子支持構造体が前記充電ケーブルの一部であるコントロールボックスを置ける空間である特定空間を設けられ、前記特定空間が空のときに、前記端子支持構造体が前記車両側中継端子の姿勢を前記特定空間に置く姿勢である待機姿勢と前記特定空間から出て充電ケーブルの充電端子を接続する面を下向きにする姿勢である充電姿勢との間で変化させる。
上記の実施形態の構成により、前記端子支持構造体が前記充電ケーブルの一部であるコントロールボックスを置ける空間である特定空間を設けられる。前記特定空間が空のときに、前記端子支持構造体が前記車両側中継端子の姿勢を前記特定空間に置く姿勢である待機姿勢と前記特定空間から出て充電ケーブルの充電端子を接続する面を下向きにする姿勢である充電姿勢との間で変化させる。
その結果、車両側中継端子を使用しないときに特定空間に置き、使用するときに特定空間から出して使用しやすい姿勢にできる。
【００１６】
本発明の実施形態に係るパレットは、前記パレット主構造体の上面に前記走行面より所定の高さをもち前記長辺に沿って延びる様に配される長尺部材であるケーブルはみ出し防止部材を備える。
上記の実施形態の構成により、ケーブルはみ出し防止部材は、前記パレット主構造体の上面に前記走行面より所定の高さをもち前記長辺に沿って延びる様に配される長尺部材である。
その結果、長辺に沿って配された充電ケーブルが長辺からはみ出るのを抑制できる。
【００１７】
本発明の実施形態に係るパレットは、１対の前記ガイド部材、を備え、前記端子支持構造体が前記充電ケーブルの一部であるコントロールボックスを置ける空間である特定空間を設けられ、１対の前記ガイド部材が前後方向に並んで前記特定空間を挟む様に前記パレット主構造体の前記特定長辺に沿う上面に位置する。
上記の実施形態の構成により、前記端子支持構造体が前記充電ケーブルの一部であるコントロールボックスを置ける空間である特定空間を設けられる。１対の前記ガイド部材が前後方向に並んで前記特定空間を挟む様に前記パレット主構造体の前記特定長辺に沿う上面に位置する。
その結果、前記ガイド部材がタイヤを案内しタイヤが前記端子支持構造体に干渉するのを抑制できる。
【００１８】
本発明の実施形態に係るパレットは、左右１対の前記車両側中継端子と、左右１対の前記端子支持構造体と、備え、左右１対の前記車両側中継端子と左右１対の前記端子支持構造体とが前記パレット主構造体を上から見て略中心を境として点対称になる様に前記パレット主構造体の前記長辺に沿う上面に各々に配置される。
上記の実施形態の構成により、左右１対の前記車両側中継端子と左右１対の前記端子支持構造体とが前記パレット主構造体を上から見て略中心を境として点対称になる様に前記パレット主構造体の前記長辺に沿う上面に各々に配置される。
その結果、パレットを１８０°旋回させて同様の機能を発揮する。
【発明の効果】
【００１９】
以上説明したように、本発明に係るパレットは、その構成により、以下の効果を有する。
車両を搭載するパレットを上から見て略長方形の構造体の左右１対の走行面を挟む左右１対の長辺のうちの一つの前記特定長辺に沿う上面に前記車両側中継端子を支持できる端子支持構造体と前記端子支持構造体と前後方向に並び上方に凸の輪郭を形成する前記ガイド部材とを設け、充電ケーブルを車両側中継端子に接続でき、前記車両側中継端子に電力を中継する様にしたので、車両が左右１対の走行面を走行してパレットに乗り降りさせる際に、前記ガイド部材がタイヤを案内しタイヤが前記端子支持構造体に干渉するのを抑制でき、電力を中継機器と前記車両側中継端子と充電ケーブルを経由して前記走行面に乗った車両に給電できる。
また、ガイド部材の前記ガイド軸部材が前記ガイド輪部材を軸心を一致させて回転自在に支持する様にしたので、車両が左右１対の走行面を走行してパレットに乗り降りさせる際に、回転する前記ガイド輪部材がタイヤを案内しタイヤが前記端子支持構造体に干渉するのを抑制でき、電力を中継機器と前記車両側中継端子と充電ケーブルを経由して前記走行面に乗った車両に給電できる。
また、前記特定長辺から前記ガイド部材の最も離れた箇所までの水平距離が前記特定長辺から前記車両側中継端子の最も離れた箇所までの水平距離より大きい様にしたので、車両が左右１対の走行面を走行してパレットに乗り降りさせる際に、回転する前記ガイド輪部材がタイヤを案内しタイヤが前記端子支持構造体に干渉するのを効果的に抑制できる。
また、コントロールボックスを置ける特定空間を端子支持構造体に設ける様にしたので、コントロールボックスを前記端子支持構造体に安定して置くことをできる。
また、前記起立部材をコントロールボックスを置ける特定空間と前記特定長辺との間に設ける様にしたので、前記特定空間に置いたコントロールボックスが前記特定長辺からはみ出るのを抑制できる。
また、コントロールボックスを置ける前記特定空間が空のときに、前記車両側中継端子を前記特定空間に置ける様にしたので、タイヤが前記端子支持構造体に干渉するのを効果的に抑制できる。
また、前記特定長辺から前記ガイド部材の最も離れた箇所までの水平距離が前記特定長辺から前記特定空間の最も離れた箇所までの水平距離より大きい様にしたので、車両が左右１対の走行面を走行してパレットに乗り降りさせる際に、回転する前記ガイド輪部材がタイヤを案内しタイヤが前記特定空間に置くコントロールボックスに干渉するのを効果的に抑制できる。
また、コントロールボックスを置ける前記特定空間が空のときに、前記車両側中継端子を前記特定空間に置ける姿勢と前記特定空間から出て充電端子を接続する面を下向きにする姿勢との間で変化できる様にしたので、車両側中継端子を使用しないときに特定空間に置き、使用するときに特定空間から出して使用しやすい姿勢にできる。
また、走行面より所定の高さをもつ前記ケーブルはみ出し防止部材を長辺に沿って延びる様に配したので、長辺に沿って配された充電ケーブルが長辺からはみ出るのを抑制できる。
また、１対の前記ガイド部材を前後方向に並んで前記特定空間を挟む様に前記パレット主構造体の前記長辺に沿う上面に配置する様にしたので、車両が左右１対の走行面を走行してパレットに乗り降りさせる際に、前記ガイド部材がタイヤを案内しタイヤが前記端子支持構造体に干渉するのを抑制できる。
また、左右１対の前記車両側中継端子と左右１対の前記端子支持構造体とが前記パレット主構造体を上から見て略中心を境として点対称になる様に前記パレット主構造体の前記長辺に沿う上面に各々に配置される様にしたので、パレットを１８０°旋回させて同様の機能を発揮する。
従って、車両を駐車させる際に車両に給電するのに適した駐車装置用のパレットを提供できる。
【図面の簡単な説明】
【００２０】
【図１】本発明の第一の実施形態に係るパレットの平面図である。
【図２】本発明の第一の実施形態に係るパレットの部分平面図である。
【図３】本発明の第一の実施形態に係るパレットの部分側面図である。
【図４】本発明の第一の実施形態に係るパレットの部分拡大図である。
【図５】本発明の第二の実施形態に係るパレットの平面図である。
【図６】本発明の第二の実施形態に係るパレットの部分平面図である。
【図７】本発明の第二の実施形態に係るパレットの部分側面図である。
【図８】本発明の第三の実施形態に係るパレットの平面図である。
【図９】充電ケーブルの全体図である。
【図１０】運搬格納式駐車装置の概念図である。
【図１１】各種形式の駐車装置の概念図である。
【発明を実施するための形態】
【００２１】
以下、本発明を実施するための形態を、図面を参照して説明する。
本発明の実施形態にかかるパレットは、複数の駐車空間と電源装置とを持つ駐車装置において車両を搭載するために使用され充電ケーブルで電力を給電される車両を搭載可能である構造体である。
駐車装置は、複数のパレット１００と複数の駐車空間と電源装置８０とで構成される。
駐車装置は、複数のパレット１００と複数の駐車空間と電源装置８０とパレット移載機構（図示せず）とで構成されてもよい。
車両は、充電ケーブル１０で給電される。
充電ケーブル１０は、車両に積まれていてもよい。
充電ケーブル１０は、駐車装置に備えられていてもよい。
【００２２】
以下に、充電ケーブル１０の構造を説明する。
充電ケーブル１０は、コントロールボックス１２と充電端子１３と充電ケーブル本体１４とで構成される。
または、充電ケーブル１０は、給電プラグ１１とコントロールボックス１２と充電端子１３と充電ケーブル本体１４とで構成される。
給電プラグ１１は、車両に設けられた給電プラグ受に接合する端子である。
コントロールボックス１２は、充電ケーブル本体１４を流れる電流を制御する電気機器を内蔵するものである。
例えば、コントロールボックス１２は、充電ケーブル本体１４を流れる電流をオン／オフする。
コントロールボックス１２は、略六面体のボックス状の外形を形成する。
コントロールボックス１２は、後述する充電ケーブル本体１４の途中に設けられる。
充電端子１３は、外部から給電を受ける電気端子である。
充電端子１３は、接触式で給電を受けてもよい。
充電端子１３は、非接触式で給電を受けてもよい。
接触式で給電を受ける場合、充電端子１３はコンセントを持っていてもよい。
例えば、充電端子１３は、後述する車両側中継端子３０に接合する端子である。
充電ケーブル本体１４は、一端を車両から引き出されて、他端を充電端子１３とに電気的に接続する。
または、充電ケーブル本体１４は、一端を充電端子１３に電気的に接続され、他端を給電プラグ１１とを電気的に接続する。
パレット１００は、車両を搭載可能であり、少なくとも駐車空間に置かれたときに電源装置８０から電力を給電される。
【００２３】
最初に、説明を容易にするために、駐車装置の一例を、図を基に、説明する。
図１０は、運搬格納式駐車機構を採用した駐車装置を示す。
例えば、駐車装置は、複数のパレット１００と複数の駐車空間と電源装置８０とパレット移動機構（図示せず）とで構成される。
パレット１００は、上から見て略長方形の形状を持つ板構造体であり、略長方形の左右１対の長辺に挟まれて車両の左右の転動するタイヤを前後方向に案内する左右１対の走行面Ｇを設けられる。
駐車空間は、空のパレット１００または車両を搭載したパレット１００を置く空間である。
図１０は、複数の駐車空間が水平面に碁盤の目状に配置される様子を示している。
パレット１００は、パレット移動機構（図示せず）により、複数の駐車空間を移動する。
【００２４】
電源装置８０は、電力をパレット１００を介して車両に給電する装置である。
電源装置８０は、給電端子８１と給電ケーブル８２と電源ボックス８３とで構成されてもよい。
給電ケーブル３２０は、電源ボックス８３の出力する電力を給電端子８１へ給電する電気ケーブルである。
給電端子８１は、後述する中継機器７０に給電できる。
電源ボックス８３は車両に給電する電力を出力する。
給電端子８１は、駐車空間に沿って配され、駐車空間に置かれたパレット１００の中継機器７０に給電する。
【００２５】
パレット移動機器（図示せす）は、パレット１００を水平移動させて、碁盤の目状に配された複数の駐車空間を移動させる。
例えば、パレット移動機器（図示せす）はパレット１００を互いに直交するＸ軸方向ＤｘまたはＹ軸方向Ｄｙのどちらかを適宜選択し、選択した方向に移動させる。
その結果、パレット１００を所望の駐車空間に置くことをできる。
【００２６】
以下に、本発明の実施形態にかかるパレットを、図を基に、説明する。
以下では、説明の便宜上、運搬格納式駐車機構を採用した駐車装置を例に、説明する。
【００２７】
最初に、本発明の第一の実施形態にかかるパレットを、図を基に、説明する。
図１は、本発明の第一の実施形態に係るパレットの平面図である。図２は、本発明の第一の実施形態に係るパレットの部分平面図である。図３は、本発明の第一の実施形態に係るパレットの部分側面図である。図４は、本発明の第一の実施形態に係るパレットの部分拡大図である。
【００２８】
本発明の第一の実施形態に係るパレット１００は、複数の駐車空間と電源装置とを持つ駐車装置において車両を搭載するために使用され充電ケーブルで電力を給電される車両を搭載可能である。  
本発明の第一の実施形態に係るパレット１００は、複数の駐車空間と電源装置とを持つ駐車装置において車両を搭載するために使用され充電ケーブルで電力を給電される車両を搭載可能であり少なくとも駐車空間に置かれたときに電源装置から電力を給電されるものであってもよい。
本発明の第一の実施形態に係るパレット１００は、パレット主構造体２０と車両側中継端子３０と端子支持構造体４０とガイド部材５０とで構成される。
本発明の第一の実施形態に係るパレット１００は、パレット主構造体２０と車両側中継端子３０と端子支持構造体４０とガイド部材５０とはみ出し防止部材６０とで構成されてもよい。
本発明の第一の実施形態に係るパレット１００は、パレット主構造体２０と車両側中継端子３０と端子支持構造体４０とガイド部材５０と複数のはみ出し防止部材６０とで構成されてもよい。
本発明の第一の実施形態に係るパレット１００は、パレット主構造体２０と車両側中継端子３０と端子支持構造体４０とガイド部材５０と複数のはみ出し防止部材６０と中継機器７０とで構成されてもよい。
【００２９】
パレット主構造体２０は、上から見て略長方形の形状を持つ構造体であり略長方形の左右１対の長辺に挟まれて車両の左右のタイヤを前後方向に転動させる左右１対の走行面を設けられる構造体である。
例えば、パレット主構造体２０は、上面を形成するパレット上面構造体２１をもつ。
パレット上面構造体２１は、上から見て略長方形の形状を持つ板構造体である。左右１対の走行面Ｇが、略長方形の左右１対の長辺に挟まれて設けられる。
【００３０】
車両側中継端子３０は、充電ケーブル１０に電気的に接合できる端子である。
例えば、車両側中継端子３０は、２００Ｖ／１５Ａ・２０Ａ兼用設置屋外コンセントである。
車両側中継端子３０は、後述する中継機器７０に電気的に接合する。
例えば、車両側中継端子３０は、後述する中継機器７０から電力を供給される。
【００３１】
端子支持構造体４０は、パレット主構造体２０の左右１対の長辺のうちの一つの長辺である特定長辺Ｅに沿う上面に設けられ車両側中継端子３０を支持できる構造体である。
端子支持構造体４０は、パレット主構造体の左右１対の長辺のうちの一つの長辺である特定長辺に沿う上面に走行面Ｇを避けて設けられ車両側中継端子３０を支持できる構造体であってもよい。
【００３２】
端子支持構造体４０は、充電ケーブル１０の一部であるコントロールボックス１２を置ける空間である特定空間Ｑを設けられてもよい。
【００３３】
特定空間Ｑが空のときに、車両側中継端子３０を特定空間Ｑに置けてもよい。
例えば、特定空間Ｑが空のときに、端子支持構造体４０が車両側中継端子３０を特定空間Ｑに置けてもよい。
【００３４】
特定空間Ｑが空のときに、端子支持構造体４０が車両側中継端子３０の姿勢を特定空間Ｑに置く姿勢である待機姿勢と特定空間Ｑから出て充電ケーブル１０の充電端子１３を接続する面を下向きにする姿勢である充電姿勢との間で変化させることをできる。
例えば、特定空間が空のときに、端子支持構造体４０が車両側中継端子３０を揺動させて、端子支持構造体４０が車両側中継端子３０の姿勢を特定空間Ｑに置く姿勢である待機姿勢と特定空間Ｑから出て充電ケーブル１０の充電端子１３を接続される面を下向きにする姿勢である充電姿勢との間で変化させることをできる。
例えば、特定空間が空のときに、端子支持構造体４０が車両側中継端子３０を移動させて、端子支持構造体４０が車両側中継端子３０の姿勢を特定空間Ｑに置く姿勢である待機姿勢と特定空間Ｑから出て充電ケーブル１０の充電端子１３を接続される面を下向きにする姿勢である充電姿勢との間で変化させることをできる。
【００３５】
以下に、端子支持構造体４０の構造の一例を説明する。
端子支持構造体４０は、基礎部材４１と支持部材４４とで構成されてもよい。
端子支持構造体４０は、基礎部材４１と起立部材４２と支持部材４４と揺動部材４５とで構成されてもよい。
端子支持構造体４０は、基礎部材４１と起立部材４２と支持部材４４とで構成されてもよい。
端子支持構造体４０は、基礎部材４１と起立部材４２と支持マット４３と支持部材４４と揺動部材４５と把手部材４６とで構成されてもよい。
【００３６】
基礎部材４１は、端子支持構造体４０の基礎である。
基礎部材４１は、起立部材４２と支持マット４３と支持部材４４を支持してもよい。
さらに、基礎部材４１は、後述するガイド部材５０を支持してもよい。
例えば、基礎部材４１は、上から見て略四辺形の板部材である。
基礎部材４１は、パレット主構造体２０に固定される。
例えば、基礎部材４１は、パレット主構造体２０にボルト固定される。
【００３７】
起立部材４２は、特定空間Ｑと特定長辺Ｅとの間に設けられ起立する部材である。
例えば、起立部材４２は、板部材であって、特定空間Ｑと特定長辺Ｅとの間に位置し、面を左右に向け、１辺を基礎部材４１に固定し、他辺を上方にむける。
コントロールボックス１２を特定空間Ｑに置くと、コントロールボックス１２が起立部材４２に遮られ、特定空間Ｑから外れるのを抑制する。
【００３８】
支持マット４３は、特定空間Ｑを形成する床面に貼られるマット状の部材である。
コントロールボックス１２を特定空間Ｑに置くと、コントロールボックス１２が支持マット４３に支持される。
【００３９】
支持部材４４は、車両側中継端子３０を支持する部材である。
支持部材４４は、基礎部材４１に支持され、車両側中継端子３０を支持してもよい。
例えば、支持部材４４は、長手部材であって、一端を基礎部材４１に支持され、上方に向けた他端が車両側中継端子３０を支持する。
支持部材４４は、揺動部材４５を介して車両側中継端子３０を支持してもよい。
例えば、支持部材４４は、基礎部材４１に支持され、揺動部材４５を揺動自在に支持する。
【００４０】
揺動部材４５は、車両側中継端子３０を揺動させる部材である。
揺動自在３５は、支持部材４４の上部に固定される左右方向に延びる揺動軸の回りに揺動できる。
揺動自在３５は、車両側中継端子３０に固定される。
揺動部材４５が揺動軸の回りに揺動すると、車両側中継端子３０の姿勢を待機姿勢と充電姿勢との間で変化させる。
例えば、揺動部材が揺動軸の回りに一方の回転方向に揺動すると、車両側中継端子３０の姿勢を待機姿勢から充電姿勢へ変化させる。揺動部材が揺動軸の回りに他方の回転方向に揺動すると、車両側中継端子３０の姿勢を充電姿勢から待機姿勢へ変化させる。
例えば、待機姿勢では、揺動部材４５と車両側中継端子３０の一体となったものが起立部材に支持され、車両側中継端子３０が特定空間Ｑに置かれる。
例えば、充電姿勢では、車両側中継端子３０が特定空間Ｑから上方へ出る。
例えば、充電姿勢では、車両側中継端子３０が特定空間Ｑから出て充電ケーブル１０の充電端子１３を接続される面を下向きにする。
図３の（Ａ）は、車両側中継端子３０の姿勢が待機姿勢であり、車両側中継端子３０が特定空間Ｑに置かれる様子を示す。
図３の（Ｂ）は、車両側中継端子３０の姿勢が充電姿勢であり、車両側中継端子３０が充電ケーブル１０の充電端子１３を接続される様子を示す。
【００４１】
取手部材４６は、揺動部材４５に固定される取手である。
【００４２】
ガイド部材５０は、パレット主構造体２０の特定長辺Ｅに沿う上面に端子支持構造体４０に支持される車両側中継端子３０と前後方向に並ぶ様に設けられ上方に凸の輪郭を形成する部材である。
ガイド部材５０は、パレット主構造体２０の特定長辺Ｅに沿う上面に走行面Ｇを避けて端子支持構造体４０に支持される車両側中継端子３０と前後方向に並ぶ様に設けられ上方に凸の輪郭を形成する部材である。
【００４３】
ガイド部材５０は、上方に凸の輪郭を形成する部材である。
ガイド部材５０は、ガイド軸部材５１とガイド輪部材５２とで構成されてもよい。
ガイド軸部材５１は、パレット主構造体の特定長辺に沿う上面に設けられ起立する軸である。
ガイド輪部材５１は、ガイド軸部材に軸心を一致させて回転自在に支持される円筒状の部材である。
ガイド部材５０が、端子支持構造体４０に支持されてもよい。
例えば、ガイド軸部材５１が下端を端子支持構造体４０に固定されてもよい。
【００４４】
特定長辺Ｅからガイド部材５０の特定長辺Ｅから最も離れた箇所までの左右方向の水平距離Ｈ１が特定長辺Ｅから車両側中継端子３０の特定長辺Ｅから最も離れた箇所までの左右方向の水平距離Ｈ２より大きくてもよい。
【００４５】
特定長辺Ｅからガイド部材５０の特定長辺Ｅから最も離れた箇所までの左右方向の水平距離Ｈ１が特定長辺Ｅから特定空間Ｑに置かれるコントロールボックス１２の特定長辺Ｅから最も離れた箇所までの左右方向の水平距離Ｈ３より大きくてもよい。
例えば、特定長辺Ｅからガイド部材５０の特定長辺Ｅから最も離れた箇所までの左右方向の水平距離Ｈ１が特定長辺Ｅとから特定空間Ｑに起立部材４２に接して置かれるコントロールボックス１２の特定長辺Ｅから最も離れた箇所までの左右方向の水平距離Ｈ３より大きくてもよい。
【００４６】
はみ出し防止部材６０は、パレット主構造体２０の上面に走行面Ｇより所定の高さをもち長辺に沿って延びる様に配される長尺部材である。
さらに、はみ出し防止部材６０は、パレット主構造体２０の上面に走行面Ｇより所定の高さをもち略長方形の短辺に沿って延びる様に配される長尺部材であってもよい。
複数のはみ出し防止部材６０が、パレット主構造体２０の上面に走行面Ｇより所定の高さをもち長辺に沿って延びる様に直列に配されてもよい。
複数のはみ出し防止部材６０が、パレット主構造体２０の上面に走行面Ｇより所定の高さをもち短辺に沿って延びる様に直列に配されてもよい。
はみ出し防止部材６０は、はみ出し防止部材本体６１とはみ出し防止基礎部材６２とで構成されてもよい。
はみ出し防止部材６０は、はみ出し防止部材本体６１と複数のはみ出し防止基礎部材６２とで構成されてもよい。
例えば、はみ出し防止部材本体６１は、丸棒である。
例えば、はみ出し防止基礎部材６２は、はみ出し防止部材本体６１の下側に固定される板部材である。
はみ出し防止基礎部材６２は、パレット主構造体２０に固定される。
【００４７】
中継機器７０は、電力を車両側中継端子へ中継する機器である。
中継機器７０は、電源装置８０から給電された電力を車両側中継端子３０へ中継してもよい。
中継機器７０は、駐車空間側中継端子７１と中継ケーブル７２とで構成されてもよい。
駐車空間側中継端子７１は、パレット主構造体２０に支持される。
パレット１００が駐車空間に位置するときに、駐車空間側中継端子７１は、電源装置８０から電力を供給される。
中継ケーブル７２は、電力を駐車空間側中継端子７１から車両側中継端子３０へ給電するケーブルである。
【００４８】
本発明の第一の実施形態にかかるパレットの作用を、説明する。
【００４９】
（空車状態）
空車状態は、パレットが車両を搭載しない状態である。
車両側中継端子３０の状態は、待機状態である。
【００５０】
（実車状態）
実車状態は、パレットが車両を搭載する状態である。
車両が入出庫空間にあるパレットに前進または後進して乗り込む。
この際に、車両の車輪が走行面Ｇを外れると、車輪はガイド部材５０に案内されて走行面Ｇに戻る。
その結果、車輪が車両側中継端子３０に干渉しない。
車両が停止すると、操作員または運転手が車両側中継端子３０を揺動させて、車両側中継端子３０の状態を充電状態にする。
操作員または運転手が、充電ケーブル１０の充電端子１３を車両側中継端子３０に結合させ、充電ケーブル１０のコントロールボックス１２を特定空間Ｑに置き、充電ケーブル１０の給電プラグ１１を車両の給電プラグ受に結合する。
操作員または運転手がパレットから降りた後、パレット移動機構がパレット１００を移動させて、パレット１００を所望の駐車空間に置く。
駐車空間の給電端子８１と駐車空間側中継端子７１とが電気的に接合する。
電源装置８０の給電する電力は中継機器７０、車両側中継端子３０、充電ケーブル１０経由して車両へ給電される。
【００５１】
出庫指令があると、パレット移動機器が車両を搭載したパレットを駐車空間から入出庫空間へ移動する。
操作員または運転手が、充電ケーブル１０の充電端子１３を車両側中継端子３０から外し、充電ケーブル１０のコントロールボックス１２を特定空間Ｑから出し、充電ケーブル１０の給電プラグ１１を車両の給電プラグ受から外す。
操作員または運転手が車両側中継端子３０を揺動させて、車両側中継端子３０の状態を待機状態にする。
運転手が、車両をパレット１００から自走して降ろす。
【００５２】
次に、本発明の第二の実施形態にかかるパレット１００を、図を基に、説明する。
図５は、本発明の第二の実施形態に係るパレットの平面図である。図６は、本発明の第二の実施形態に係るパレットの部分平面図である。図７は、本発明の第二の実施形態に係るパレットの部分側面図である。
【００５３】
本発明の第二の実施形態に係るパレット１００は、パレット主構造体２０と車両側中継端子３０と端子支持構造体４０と１対のガイド部材５０とで構成される。
本発明の第二の実施形態に係るパレット１００は、パレット主構造体２０と車両側中継端子３０と端子支持構造体４０と１対のガイド部材５０とはみ出し防止部材６０とで構成されてもよい。
本発明の第二の実施形態に係るパレット１００は、パレット主構造体２０と車両側中継端子３０と端子支持構造体４０と１対のガイド部材５０と複数のはみ出し防止部材６０とで構成されてもよい。
本発明の第二の実施形態に係るパレット１００は、パレット主構造体２０と車両側中継端子３０と端子支持構造体４０と１対のガイド部材５０と複数のはみ出し防止部材６０と中継機器７０とで構成されてもよい。
【００５４】
本発明の第二の実施形態に係るパレット１００の構成は、１対のガイド部材５０を備える他は、第一の実施形態に係るパレット１００のものと同じなので、異なる点のみを説明する。
【００５５】
１対のガイド部材５０が、前後方向に並んで特定空間Ｑを挟む様にパレット主構造体２０の長辺に沿う上面に位置する。
１対のガイド部材５０が、前後方向に並んで特定空間Ｑと車両側中継端子３０とを挟む様にパレット主構造体２０の長辺に沿う上面に位置してもよい。
【００５６】
本発明の第二の実施形態に係るパレット１００の作用は、第一の実施形態に係るパレット１００のものと同じなので、省略する。
【００５７】
次に、本発明の第三の実施形態にかかるパレット１００を、図を基に、説明する。
図８は、本発明の第三の実施形態に係るパレットの平面図である。
【００５８】
本発明の第三の実施形態に係るパレット１００は、パレット主構造体２０と左右１対の車両側中継端子３０と左右１対の端子支持構造体４０と左右１対のガイド部材５０とで構成される。
本発明の第二の実施形態に係るパレット１００は、パレット主構造体２０と左右１対の車両側中継端子３０と左右１対の端子支持構造体４０と左右１対のガイド部材５０とはみ出し防止部材６０とで構成されてもよい。
本発明の第二の実施形態に係るパレット１００は、パレット主構造体２０と左右１対の車両側中継端子３０と左右１対の端子支持構造体４０と左右１対のガイド部材５０と複数のはみ出し防止部材６０とで構成されてもよい。
本発明の第二の実施形態に係るパレット１００は、パレット主構造体２０と左右１対の車両側中継端子３０と左右１対の端子支持構造体４０と左右１対のガイド部材５０と複数のはみ出し防止部材６０と中継機器７０とで構成されてもよい。
【００５９】
本発明の第二の実施形態に係るパレット１００の構成は、左右１対の車両側中継端子３０と左右１対の端子支持構造体４０と左右１対のガイド部材５０を備える他は、第一の実施形態に係るパレット１００のものと同じなので、異なる点のみを説明する。
【００６０】
左右１対の車両側中継端子３０と左右１対の端子支持構造体４０とがパレット主構造体２０を上から見て略中心を境として点対称になる様にパレット主構造体２０の左右１対の長辺に沿う上面に各々に配置される。
左右１対の車両側中継端子３０と左右１対の端子支持構造体４０と左右１対のガイド部材５０がパレット主構造体２０を上から見て略中心を境として点対称になる様にパレット主構造体２０の左右１対の長辺の各々の長辺に沿う上面に各々に配置されてもよい。
左右１対の車両側中継端子３０と左右１対の端子支持構造体４０と左右１対の前後１対のガイド部材５０がパレット主構造体２０を上から見て略中心を境として点対称になる様にパレット主構造体２０の左右１対の長辺の各々の長辺に沿う上面に各々に配置されてもよい。
【００６１】
本発明の第三の実施形態に係るパレット１００の作用は、第三の実施形態に係るパレット１００のものと同じなので、省略する。
【００６２】
また、本発明の実施形態に係る駐車装置は、その構成により、以下の効果を有する。
車両を搭載するパレットを上から見て略長方形の構造体の前後方向に延びる左右１対の走行面を挟む左右１対の長辺のうちの一つの特定長辺Ｅに沿う上面に車両側中継端子３０を支持できる端子支持構造体４０と端子支持構造体４０と前後方向に並び上方に凸の輪郭を形成するガイド部材５０とを設け、充電ケーブル１０を車両側中継端子３０に接続でき、車両側中継端子３０に電力を中継する様にしたので、車両が左右１対の走行面Ｇを走行してパレットに乗り降りさせる際に、ガイド部材５０がタイヤを案内しタイヤが端子支持構造体３０に干渉するのを抑制でき、電力を中継機器７０と車両側中継端子３０と充電ケーブル１０を経由して走行面に乗った車両に給電できる。
また、ガイド部材５０のガイド軸部材５１がガイド輪部材５２を軸心を一致させて回転自在に支持する様にしたので、車両が左右１対の走行面Ｇを走行してパレットに乗り降りさせる際に、回転するガイド輪部材５２がタイヤを案内しタイヤが端子支持構造体４０に干渉するのを抑制でき、電力を中継機器７０と車両側中継端子３０と充電ケーブル１０とを経由して走行面に乗った車両に給電できる。
また、特定長辺Ｅからガイド部材５０の最も離れた箇所までの左右方向の水平距離Ｈ１が特定長辺から車両側中継端子３０の最も離れた箇所までの左右方向の水平距離Ｈ２より大きい様にしたので、車両が左右１対の走行面Ｇを走行してパレットに乗り降りさせる際に、回転するガイド輪部材５２がタイヤを案内しタイヤが端子支持構造体４０に干渉するのを効果的に抑制できる。
また、コントロールボックス１２を置ける特定空間Ｑを端子支持構造体４０に設ける様にしたので、コントロールボックス１２を端子支持構造体４０に安定して置くことをできる。
また、起立部材４２をコントロールボックス１２を置ける特定空間Ｑと特定長辺Ｅとの間に設ける様にしたので、特定空間Ｑに置いたコントロールボックス１２が特定長辺Ｅからはみ出るのを抑制できる。
また、コントロールボックス１２を置ける特定空間Ｑが空のときに、車両側中継端子３０を特定空間Ｑに置ける様にしたので、タイヤが端子支持構造体４０に干渉するのを効果的に抑制できる。
また、特定長辺Ｅからガイド部材５０の最も離れた箇所までの左右方向の水平距離Ｈ１が特定長辺Ｅから特定空間Ｑに置かれたコントロールボックス１２の最も離れた箇所までの左右方向の水平距離Ｈ３より大きい様にしたので、車両が左右１対の走行面Ｇを走行してパレットに乗り降りさせる際に、回転するガイド輪部材５２がタイヤを案内しタイヤが特定空間Ｑに置くコントロールボックス１２に干渉するのを効果的に抑制できる。
また、コントロールボックス１２を置ける特定空間Ｑが空のときに、車両側中継端子３０を特定空間Ｑに置ける姿勢と特定空間Ｑから出て充電端子１３を接続する面を下向きにする姿勢との間で変化できる様にしたので、車両側中継端子３０を使用しないときに特定空間Ｑに置き、使用するときに特定空間Ｑから出して使用しやすい姿勢にできる。
また、走行面Ｇより所定の高さをもつはみ出し防止部材６０を長辺に沿って延びる様に配したので、長辺に沿って配された充電ケーブルが長辺からはみ出るのを抑制できる。
また、１対のガイド部材５０を特定空間Ｑを前後方向に挟む様にパレット主構造体２０の長辺に沿う上面に配置する様にしたので、車両が左右１対の走行面Ｇを前後方向に走行してパレットに乗り降りさせる際に、ガイド部材５０がタイヤを案内しタイヤが端子支持構造体４０に干渉するのを抑制できる。
また、左右１対の車両側中継端子と左右１対の端子支持構造体とがパレット主構造体を上から見て略中心を境として点対称になる様にパレット主構造体の長辺に沿う上面に各々に配置される様にしたので、パレットを１８０°旋回させて同様の機能を発揮する。
【００６３】
本発明は以上に述べた実施形態に限られるものではなく、発明の要旨を逸脱しない範囲で各種の変更が可能である。
説明では、エレベータ方式駐車機構を採用した駐車装置を例にして説明したがこれに限定されず、メリーゴーランド方式駐車機構、エレベータ方式駐車機構、エレベータ・スライド方式駐車機構、平面往復方式駐車機構、運搬格納方式駐車機構、二段方式・多段方式駐車機構のどれを採用した駐車装置であってもよい。
端子同士を接合するとして説明したが、接触して接合してもよいし、非接触で接合してもよい。
車両側中継端子３０と駐車空間側中継端子７１とは長い中継ケーブル７２で電気的に接続されるとして説明したが、車両側中継端子３０と駐車空間側中継端子７１とが実質的に一体であってもよい。
起立部材を板材であるとして、説明したが、これに限定されない。たとえば、起立部材がパンチングメタル、網状部材、他であってもよい。
【符号の説明】
【００６４】
Ｄｘ  Ｘ軸方向
Ｄｙ  Ｙ軸方向
Ｇ  走行面
Ｅ  特定長辺
Ｑ  特定空間
Ｈ１  水平距離
Ｈ２  水平距離
Ｈ３  水平距離
１０  充電ケーブル
１１  給電フラグ
１２  コントロールボックス
１３  充電端子
１４  充電ケーブル本体
２０  パレット主構造体
２１  パレット上面構造体
３０  車両側中継端子
４０  端子支持構造体
４１  基礎部材
４２  起立部材
４３  支持マット
４４  支持部材
４５  揺動部材
４６  取手部材
５０  ガイド部材
５１  ガイド軸部材
５２  ガイド輪部材
６０  はみ出し防止部材
６１  はみ出し防止部材本体
６２  はみ出し防止基礎部材
７０  中継機器
７１  駐車空間側中継端子
７２  中継ケーブル
８０  電源装置
８１  給電端子
８２  給電ケーブル
８３  電源ボックス
１００  パレット
【先行技術文献】
【特許文献】
【００６５】
【特許文献１】特開平０５−２５６０３８号
【特許文献２】特開平０４−３６６２８３号
【特許文献３】特開平０５−２２７６６８号
【特許文献４】特開平０６−５７０８６号
【特許文献５】特開平０６−６７９８７号
【特許文献６】特開平０６−８１５０７号
【特許文献７】特開平０６−１２１４０７号
【特許文献８】特開平０６−３１８２８８号
【特許文献９】特開平０７−００４０９５号
【特許文献１０】特開平１０−０３０３５４号
【特許文献１１】特開平１０−１２４７１９号
【特許文献１２】特開平１１−０８６０５８号
【特許文献１３】特開平１１−１５２９２５号
【特許文献１４】特開２００１−３１２７７２号
【特許文献１５】特開２００１−３５９２０３号
【特許文献１６】特開２００２−００４６２０号
【特許文献１７】実開平０６−０２８１２４号
【特許文献１８】実開平０６−０３５５３５号
【図１】
2014070472.tif 000003
【図２】
2014070472.tif 000004
【図３】
2014070472.tif 000005
【図４】
2014070472.tif 000006
【図５】
2014070472.tif 000007
【図６】
2014070472.tif 000008
【図７】
2014070472.tif 000009
【図８】
2014070472.tif 000010
【図９】
2014070472.tif 000011
【図１０】
2014070472.tif 000012
【図１１】
2014070472.tif 000013